(57)【要約】      （修正有）【課題】魚介類養殖場の水槽中に発生する微生物や病原菌による病害感染の危険性を防止し防除する。また当装置は水質や人体に無害で且つ地球環境に無公害であるものを提供し、安心で快適な養殖場及び水槽等の実現に貢献する。【解決手段】超微粒子強磁性フェライトを用いたナノフィルターを積層型に加工した病原菌病害防除用装置は、粒度５ｎｍ〜３０ｎｍの微粒子を磁化した銅フェライトまたはカルシウム亜鉛フェライトを不織布に所定量塗布したことを特徴とする。この積層型ナノフィルターを用いた当装置を水槽及び養殖場内にぶら下げて設置し、水槽内及び養殖場内に存在する病原菌が、この積層型ナノフィルターによる磁場から発生する磁力線内を通過するときに、ファラデーの電磁誘導の法則により発生した渦電流が、この病原菌に流れるので、この病原菌の細胞が破壊され、動きを阻止し、成育を防除して、病原菌による病害の発生を防止すること特徴とする。【選択図】なし【特許請求の範囲】
【請求項１】
病原菌が人間や魚介類に感染して発生する病害を防止するために、超微粒子強磁性フェライトを用いたもので、上記超微粒子強磁性フェライトはその粒度５ｎｍ〜３０ｎｍの磁化したもので、銅フェライトまたはカルシウム亜鉛フェライトであり、上記超微粒子強磁性フェライトを不織布に所定量塗布したことを特徴とするナノフィルターによる病原菌病害防除用装置
【請求項２】
請求項１記載の前記フィルターを病原菌が多数存在する海産ワムシや生クロレラ等の培養水槽にぶら下げ取り付けると、上記フェライトによる磁場が形成され、この磁場から発生する磁力線を上記培養水槽内を循環しながら存在する上記病原菌が通過すると、ファラデーの電磁誘導の法則により発生した電流が流れ、この電気が上記病原菌に流れることにより、上記病原菌の動きを阻止し、病原菌を防除して、この病原菌による病害の発生を阻止することを特徴とする超微粒子強磁性フェライトを用いたナノフィルターによる病原菌病害防除方法
【発明の詳細な説明】
【技術分野】
【０００１】本発明は、海産ワムシや生クロレラを培養している水槽内に多数存在する病原菌が、海産ワムシ等に感染して病害を発生することを阻止するために用いるもので、超微粒子強磁性フェライトを利用して、海産ワムシ等に対する病原菌の感染を阻止する病原菌の病害防除用装置及び病原菌の病害防除方法に関する技術である。
【背景技術】
【０００２】従来から養殖場内に多数存在している病原菌によって、海産ワムシや生クロレラ等は、病害に感染する危険性を繰り返し直面している。【０００３】従来から、本発明が取り組んでいる病害のうち、特に水槽内や養殖場内に存在している水カビ菌、大腸菌、黄色ブドウ球菌、ビブロス菌等による海産ワムシや生クロレラ及び魚介類やプランクトンへの病害に対しては、一般にマラカイトグリーン、塩素系処理剤等を用いて防除している。ところが、マラカイトグリーンや塩素系処理剤等には、発がん性や副作用等の問題があることは周知のとおりである。【０００４】このようにマラカイトグリーンや塩素系処理剤等による発がん性や副作用等による現状に鑑み、いわゆる害の少ない抗菌剤の開発も盛んに行われており、例えば、酸化チタンや銀系の抗菌剤による病害防除等が提案されている。
【発明の開示】
【発明が解決しようとする課題】
【０００５】このようにマラカイトグリーンや塩素系処理剤による病害の防除は、発がん性や副作用等の発生の原因となることから、マラカイトグリーンや塩素系処理剤については、使用禁止や使用量を抑制する必要がある。【０００６】また、このような発がん性や副作用のあるマラカイトグリーンや塩素系処理剤等の使用を抑制するために上述した銀イオンや有機銅剤等の抗菌剤による病害防除方法が提案されているが、これによる病害防除の成功例はほとんど報告されていない。【０００７】そこで、本発明の目的は、無公害な超微粒子強磁性フェライトを用いて、病害発生の源とされる病原菌の動きを抑制し、生育を阻止して水槽内及び養殖場内中に存在する病原菌による感染の危険性を防止することにより、快適な水槽内及び養殖場等の実現に貢献することにある。
【課題を解決する為の手段】
【０００８】上記の目的を解決する為に、請求項１に記載の超微粒子強磁性フェライトを用いたナノフィルターを積層型に加工した病原菌病害防除用装置は、魚介類及びプランクトンに感染して病害を発生することを防止するためのもので、粒度５ｎｍ〜３０ｎｍの微粒子を磁化した銅フェライトまたはカルシウム亜鉛フェライトを不織布に所定量塗布したことを特徴とする。
【０００９】請求項２に記載の超微粒子強磁性フェライトを用いたナノフィルターの病原菌病害防除方法は、積層型ナノフィルターを水槽及び養殖場内にぶら下げ、この積層型ナノフィルターによる磁場から発生する磁力線を水槽内及び養殖場内に存在する病原菌が通過するときに、ファラデーの電磁誘導の法則により発生した渦電流が、この病原菌に流れるので、この病原菌の細胞が破壊され、動きを阻止し、成育を防除して、病原菌による病害の発生を防止すること特徴とする。
【００１０】本発明の特徴は、水槽内及び養殖場内等に存在する水カビ菌、大腸菌、黄色ブドウ球菌、ノロウイルス等の病原菌の病害防除用装置として、発がん性や副作用等のない超微粒子強磁性フェライトを採用した点にある。
【００１１】すなわち、超微粒子強磁性フェライトは、粒度５ｎｍ〜３０ｎｍの微粒子で、しかも各々が磁化の大きいＮ極とＳ極の永久磁石で、これを不織布に所定量塗布したナノフィルターを積層型に加工し、水槽内及び養殖場内等にぶら下げるように取り付けて強力な磁場を形成し、この磁場により磁力線を発生させる。
【００１２】そして病原菌が対流している水槽内及び養殖場内等にぶら下げるように取り付けた積層型のナノフィルターに移動しながら通過するときに磁力線を切るとファラデーの電磁誘導の法則により渦電流が発生する。この渦電流が病原菌に流れる為、細胞を破壊し、一種の感電死をするので、病原菌の動きを抑制し、成育を阻止して、病原菌の病害を防除することができる。
【００１３】また超微粒子強磁性フェライトは、化学的に安定で、使用しても周囲への汚染の原因とならないので、公害や環境への問題は生じないという利点も備えている。なおここで塗布とは、散布、吹き付け、含浸等の方法を含む。
【発明の効果】
【００１４】超微粒子強磁性フェライトである銅フェライトまたはカルシウム亜鉛フェライトを不織布に塗布したナノフィルターを積層型に加工したのを病原菌防除用装置として、海産ワムシと生クロレラの培養水槽に吊るした形で取り付け、上記積層型ナノフィルターに病原菌が通過すると、上記積層型ナノフィルターに発生する磁力線を切るので、ファラデーの電磁誘導の法則により、渦電流が病原菌に流れるので、病原菌の細胞が破壊され、一種の感電死をして、病原菌は殺菌されるので、海産ワムシと生クロレラ等に感染する病原菌の病害の発生を防除できる。
【００１５】また超微粒子強磁性フェライトは、無害で化学的に安定、ＰＨ１程度で溶解し、しかも薬品のような副作用が無いので、このフェライト粒子を不織布に塗布したナノフィルターを積層型に加工したフィルターを使用すれば、海産ワムシや生クロレラの培養での病原菌を防除できるので、海産ワムシや生クロレラの培養において、公害や環境への問題は生じないなどの顕著な効果を奏する。
【発明を実施するための最良の形態】
【００１６】はじめに、超微粒子強磁性フェライトの磁化の強さについて説明する。図１に銅フェライトの磁化測定図を、また図２にカルシウム亜鉛フェライトの磁化測定図をそれぞれ示す。両図において磁化の強さは２５ｅｍｕ／ｇ及び２６ｅｍｕ／ｇとなっている。それぞれガウスに換算すると、１，６３０ガウス及び１，７００ガウスに相当する。これらのフェライト粒子は、粒度が５ｎｍ〜３０ｎｍ程度の超微粒子で、１ｇで約１０の１６乗個となり、これを分散すると、約１００ｍ２となる。これらの超微粒子で強磁性なフェライト粒子である銅フェライトやカルシウム亜鉛フェライトを合織でジグザグ、不規則な織り方の不織布に、１ｍ２当たり１０ｇの上記フェライト粒子を塗布したナノフィルターは、約１００層の上記フェライト粒子が縦方向に積層されており、このナノフィルターを厚めの不織布の両側に貼り付けたサンドイッチ構造の両側に、再度厚めの不織布を貼り付けた積層型のナノフィルターを作製し、この積層型ナノフィルターを海産ワムシや生クロレラを培養する水槽内に吊るした状態で取り付けると積層型ナノフィルターから強力な磁場が形成されて磁力線を発生させる。【００１７】上記磁場を発生している積層型ナノフィルターに海産ワムシや生クロレラの水槽内に存在する病原菌が通過するときに、病原菌はジグザグで不規則な中を動き、約１００回も繰り返し、計２００回の磁力線を切るので、その度ごとにファラデーの電磁誘導の法則から渦電流が病原菌に流れて細胞が破壊され、病原菌は一種の感電死を起こし、殺菌されるので、病原菌による病害の危険性を防除できる。【００１８】図３のＡは、上記フェライト粒子の間隔を拡大して示したものである。このフェライト粒子は、超微粒子で強磁性であるがＮ極１とＳ極２を有する永久磁石であるので、Ｎ極１からＳ極２に向かって磁力線３が発生する。このとき微生物・病原菌が磁力線に近づいてこの磁力線を切ると、この磁力線を横切る為に、図３に示すように、ファラデーの電磁誘導の法則により、電圧が誘起されて渦電流が流れ、この渦電流が微生物・病原菌に流れる。このため微生物・病原菌の細胞が破壊され、一種の感電死をするので、微生物・病原菌による魚介類及びプランクトンである海産ワムシや生クロレラの感染の危険性を防止する。【００１９】上記フェライト粒子の接触、無接触による病原菌の殺菌効果を示したのが表１である。フェライト粒子はＣａ−Ｚｎフェライトで、病原菌は大腸菌、レジオネラ菌、黄色ブドウ球菌である。試験は振動接触法で、２０時間後の殺菌効果は対照と比べて良い殺菌効果を示している。
【表１】
2010017165.tif 000002
【００２０】上記フェライト粒子の接触により病原菌の細胞が破壊され殺菌される様子を電子顕微鏡写真で示したのが図４のＡとＢ及び図５のＡとＢである。図４は黄色ブドウ球菌で、Ａはフェライト粒子が無接触、Ｂはフェライト粒子が接触した場合で、接触すると病原菌の細胞が破壊されている。また図５は大腸菌で、Ａはフェライト粒子が無接触、Ｂはフェライト粒子が接触した場合で、接触すると病原菌の細胞が破壊されている。図４、図５の結果から、フェライト粒子が接触し、磁力線を切るとファラデーの電磁誘導の法則から、渦電流が病原菌に流れ細胞が破壊されて殺菌されることが判る。
【実施例】
【００２１】実施例として、海産ワムシの培養試験で、上記積層型ナノフィルターを水槽内に吊るした形で取り付けたのと、積層型ナノフィルターを未使用の場合とを比較したのが、表２ＡとＢである。まず４ｌの容器の水槽内に２ｌの人工海水を作り、海産ワムシ入りの溶液４００ｍｌを入れ、餌として生クロレラを適時入れたのをエアレーションして試験を行った。
【表２】
2010017165.tif 000003
【００２２】上記表２ＡとＢで、初日は海産ワムシの数は、１ｍｌ当たり４０個で同じであるが、４日目になると、Ａは１９３個に対して、対照であるＢは１３３個と差が出ている。これが８日目になると、Ａは６９３個で、Ｂは３６０個とその差は更に大きくなっており、積層型ナノフィルターを使用したＡは、積層型ナノフィルター未使用のＢに比べて海産ワムシの培養に効果が得られている。しかし、１５日目になると、ＡとＢ共に海産ワムシの数が減少している。これは海産ワムシの糞等の増加による水槽内の環境の悪化によるものである。それでも、Ａの方が３８７個に対し、Ｂは８０個となっており、環境が悪化してもＡの方がＢよりも減少する割合は少なくなっている。一般に海産ワムシの培養においては、１０日くらいで他の水槽に移し水槽を清掃することになっている。【００２３】上記積層型ナノフィルターを海産ワムシと生クロレラの水槽に吊るした形で取り付け、病原菌が通過し、磁力線を切るとファラデーの電磁誘導の法則により、渦電流が病原菌に流れ殺菌されると、水槽内の海産ワムシの糞等と病原菌との反応によるヘドロ状の物質の発生が少ないので、水槽内は清浄を保持する。これに対して、積層型ナノフィルター未使用では、上記海産ワムシの糞等と病原菌との反応が進み、ヘドロ状の物質が多く発生し、水槽内の汚染が進行する。この様子を示したのが、図６のＡとＢで、Ａは積層型ナノフィルターを使用し、水槽内は清浄が保持されている。これに対する積層型ナノフィルター未使用では、水槽内の汚染が進んでいる。【００２４】上記図６のＡとＢで、Ａは積層型ナノフィルターを使用した時の水槽内の様子を示したものであるが、この水槽内の様子を顕微鏡写真で示したのが図７のＡで、有害な微生物はほとんど見られず、清浄さが保持されている。これに対して、積層型ナノフィルター未使用の水槽内の様子を顕微鏡写真で示したのが図７のＢで、有害な微生物が多数存在し、汚染が進んでいることを示している。これは積層型ナノフィルターを使用すると有害な微生物や病原菌が防除されるので、海産ワムシの糞等と有害な微生物及び病原菌との反応によるヘドロ等の汚染物の発生が少ないことによる。【００２５】上記図６のＡとＢと図７のＡとＢから、積層型ナノフィルターを海産ワムシと生クロレラの水槽に使用すれば、水槽内の有害な微生物や病原菌が防除できるので、水槽内の清浄が保持され、海産ワムシと生クロレラの培養に良い結果をもたらす。
【産業上の利用可能性】
【００２６】魚介類の養殖場の水槽中に発生する微生物や病原菌の防除に利用できる。【００２７】魚介類の養殖場において、稚魚の餌となる海産ワムシや生クロレラ等の培養水槽中に発生する微生物や病原菌の防除に利用できる。
【図面の簡単な説明】
【００２８】
【図１】銅フェライトの磁化曲線である。
【図２】カルシウム亜鉛フェライトの磁化曲線である。
【図３】フェライト粒子の拡大図  Ａ：フェライト粒子の拡大正面図である。Ｂ電磁界の拡大図である。
【図４】黄色ブドウ球菌の顕微鏡写真である。Ａ：カルシウム亜鉛フェライト粒子が無接触の場合である。Ｂ：カルシウム亜鉛フェライト粒子が接触した場合である。
【図５】大腸菌の顕微鏡写真である。Ａ：カルシウム亜鉛フェライト粒子が無接触の場合である。Ｂ：カルシウム亜鉛フェライト粒子が接触した場合である。
【図６】海産ワムシと生クロレラの培養試験水槽である。Ａ：積層型ナノフィルターを使用した場合である。Ｂ：積層型ナノフィルター未使用の場合である。
【図７】図６の培養試験水槽内の顕微鏡写真である。Ａ：図・６Ａの顕微鏡写真である。Ｂ：図・６Ｂの顕微鏡写真である。
【符号の説明】
【００２９】１        Ｎ極
２        Ｓ極
３        磁力線
【図１】
2010017165.tif 000004
【図２】
2010017165.tif 000005
【図３Ａ】
2010017165.tif 000006
【図３Ｂ】
2010017165.tif 000007
【図４Ａ】
2010017165.tif 000008
【図４Ｂ】
2010017165.tif 000009
【図５Ａ】
2010017165.tif 000010
【図５Ｂ】
2010017165.tif 000011
【図６Ａ】
2010017165.tif 000012
【図６Ｂ】
2010017165.tif 000013
【図７Ａ】
2010017165.tif 000014
【図７Ｂ】
2010017165.tif 000015